(57)【要約】【課題】  腰壁パネルを壁面に固定する際、床面が歪むことにより生じる、巾木と床面との隙間を、美観を損なうことなく解消する。【解決手段】  床面４近傍において、巾木２により腰壁パネル１，１を壁面５に固定する腰壁構造であって、巾木２の下部を構成し、その底部が壁面５及び床面４に当接され、その上面に嵌合部を有する下部材２２と、下部材２２の嵌合部に上方から嵌合されて巾木２の上部を構成し、腰壁パネル１，１を壁面５に固定する上部材２１と、下部材２２内を垂直方向に貫通し、床面４に螺合される垂直ネジ３２とを有する。【選択図】  図１
2007100392.tif 000002
【特許請求の範囲】
【請求項１】
床面近傍において、巾木により腰壁パネルを壁面に固定する腰壁構造であって、
前記巾木の下部を構成し、その底部が前記壁面及び前記床面に当接され、その上面に嵌合部を有する巾木下部材と、
前記巾木下部材の嵌合部に上方から嵌合して前記巾木の上部を構成し、前記腰壁パネルを前記壁面に固定する巾木上部材と、
前記巾木下部材内を垂直方向に貫通し、前記床面に螺合される垂直ネジと
を有することを特徴とする腰壁構造。
【発明の詳細な説明】
【技術分野】
【０００１】
本発明は、床面近傍において、巾木より腰壁パネルを壁面に固定する腰壁構造に関する。
【背景技術】
【０００２】
従来より、図５に示すような、壁面下部に、腰壁パネルを貼り付ける構造が施工されている。具体的にこの腰壁構造は、同図に示すように、腰壁パネル１を複数、幅方向（水平方向）に連結して壁面５下部に配置するとともに、腰壁パネル１の上部を見切材３で固定し、下部を巾木２で固定する。
【０００３】
ところで、この腰壁構造では、腰壁構造の施工後或いは施工中に床面４に不陸等の歪みが生じ、巾木２の下面と、床面４との間に隙間が形成される場合がある。このような隙間を解消する方法として、例えば、特開２００２−３６４１６５号公報（特許文献１）に開示されたものがある。
【０００４】
この特許文献１に開示された技術では、巾木２の下部を変形容易に形成して、巾木２の下部を変形させ、床面の凹凸に追従させて当接させることによって、上述した隙間を塞ぐことによって解消することができる。
【特許文献１】特開２００２−３６４１６５号公報
【発明の開示】
【発明が解決しようとする課題】
【０００５】
しかしながら、上述した特許文献１に開示された技術では、巾木２を床面４の歪みに追従させて変形させることから、巾木２自体の形状が歪んで見えることとなり、仕上がり後の美観が損なわれることとなる。また、上記技術では、隙間を塞ぐに過ぎないため、床面４上の歪みはそのまま残存することとなり、施工精度の低下を招くこととなる。
【０００６】
そこで、本発明は以上の点に鑑みてなされたもので、巾木により腰壁パネルを壁面に固定する腰壁構造であって、床面が歪むことにより生じる、巾木と床面との隙間を、床面の歪みを矯正することによって、美観を損なうことなく解消することのできる腰壁構造を提供することをその課題とする。
【課題を解決するための手段】
【０００７】
上記課題を解決するために、本発明は、床面近傍において、巾木により腰壁パネルを壁面に固定する腰壁構造であって、巾木の下部を構成し、その底部が壁面及び床面に当接され、その上面に嵌合部を有する巾木下部材と、巾木下部材の嵌合部に上方から嵌合して巾木の上部を構成し、腰壁パネルを壁面に固定する巾木上部材と、巾木下部材内を垂直方向に貫通し、床面に螺合される垂直ネジとを有することを特徴とする。
【０００８】
このような本発明では、先ず、壁面と床面との境界に巾木下部材を当接させて配置し、巾木下部材の上面から垂直方向に垂直ネジを貫通させ、垂直ネジを床面に螺合させて打込む。次いで、このように固定された巾木下部材上面の嵌合部に、上方から巾木上部材を嵌め込み、この巾木上部材により腰壁パネルの下部を壁面に固定する。そして、腰壁パネルの上部は、通常の施工通り見切材により壁面に固定する。
【０００９】
このような本発明によれば、垂直ネジを、巾木下部材を貫通させて床面に螺合させることにより、巾木の底面が床面に押しつけられるようにして、巾木が反りになじみ、隙間が解消される。そして、この巾木下部材上面に打込まれた垂直ネジは、その上方から巾木上部材が嵌め込まれることによって隠されることとなり、美観が損なわれることがない。
【００１０】
また、巾木上部材を着脱可能に嵌合させるようにすれば、本腰壁構造の完成後に床面に不陸が生じた場合であっても、腰壁構造を一旦分解し巾木上部材を取り外すことによって、不陸が発生した箇所に対応させて垂直ネジを打込むことができる。これにより、事後的に発生した隙間も解消することが可能となり、メンテナンスが容易となる。
【００１１】
なお、上記発明において、前記嵌合部は、巾木下部材の上面から突出した凸部であり、前記巾木上部材は、凸部が嵌合される凹部を有し、前記垂直ネジは、巾木下部材上面の凸部より前方位置において貫通されるようにしてもよい。この場合には、垂直ネジを打込む箇所が、壁面から離れた位置となるため、垂直ネジを打込む際の作業性を向上させることができる。
【発明の効果】
【００１２】
以上、説明したように本発明の腰壁構造によれば、巾木や見切材により腰壁パネルを壁面に固定する際に、床面が歪むことにより生じる、巾木と床面との隙間を、床面の歪みを矯正することによって、美観を損なうことなく解消することができる。
【発明を実施するための最良の形態】
【００１３】
（腰壁構造の構成）
本発明の実施形態について、図面を参照しつつ説明する。図１は、本実施形態に係る腰壁構造の概略構成を示す斜視図である。
【００１４】
同図に示すように、本実施形態に係る腰壁構造は、壁面５の下部（床面４近傍）において、腰壁パネル１，１…を複数、幅方向（水平方向）に連結して配置するとともに、腰壁パネル１の下部を巾木２で固定し、上部を見切材３で固定する。
【００１５】
図２（ａ）は、巾木２の側面図であり、同図（ｂ）は、その正面図である。これら図２（ａ）及び（ｂ）に示すように、本実施形態に係る巾木２は、上部材２１と下部材２２というように上下に分割され、上部材２１を腰壁パネル１の固定用部材とし、下部材２２を床面４への固定用部材とする。
【００１６】
上部材２１は、下部材２２の凸部２２ｂに対して上方から嵌合する凹部２１ｃと、腰壁パネル１，１…を壁面５に固定するための切欠部２１ａと、壁面５に対して垂直となるように水平方向に水平ネジ３１が打込まれる溝部２１ｂとを有している。
【００１７】
一方、下部材２２は、その上面２２ａから突出した嵌合部としての凸部２２ｂと、垂直ネジ３２が打込まれる貫通孔２２ｄが形成される打込面２２ｃとを有している。打込面２２ｃは、下部材２２の凸部より前方位置（壁面５よりも手前の位置）に形成されている。垂直ネジ３２は、この打込面２２ｃから下部材２２内の貫通孔２２ｄを貫通して、床面４に螺合される。なお、打込面２２ｃは、垂直ネジ３２を打込みやすいように、溝状に形成してもよい。
【００１８】
前記腰壁パネル１は、図３に示すように、表板１１と後板１２とからなる形状に削り出しており、側面には、幅方向に連結できるように、側方に突出した凸部１２ｂと、この凸部１２ｂと係合する切欠部１２ｃが形成されている。また、腰壁パネル１の下部では、表板１１と後板１２とが段差を構成し、後板１２が表板１１よりも下方に迫り出しており、上記上部材２１の切欠部２１ａに係合する継合部１２ａが形成されている。
【００１９】
（腰壁構造の施工方法）
このような本実施形態に係る腰壁構造の施工法は、以下の手順による。図４（ａ）〜（ｃ）は、腰壁構造の施工手順を示す説明図である。
【００２０】
先ず、図４（ａ）に示すように、壁面５と床面４との境界に、下部材２２の底部を当接させて配置し、下部材２２上面の打込面２２ｃにドリル等で貫通孔２２ｄを形成する。この貫通孔２２ｄは、床面４に形成された不陸４１の位置に対応させて形成する。なお、打込面２２ｃは、凸部２２ｂよりも手前にあるため、貫通孔を形成する際の作業性が向上される。そして、貫通孔２２ｄに垂直ネジ３２を打込み、下部材２２を垂直方向に貫通させ、床面４に螺合させる。
【００２１】
次いで、同図（ｂ）に示すように、このように固定された下部材２２上面の凸部２２ｂに、上方から上部材２１の凹部２１ｃを嵌め込み、上部材２１の切欠部２１ａに、腰壁パネル１，１の継合部１２ａを嵌め込む。このとき、上部材２１は、下部材２２に対して着脱可能に嵌合される。
【００２２】
その後、上部材２１を水平方向に貫通するように水平ネジ３１を打込み、上部材２１背後の壁面５に螺合させる。これにより、同図（ｃ）に示すように、腰壁パネル１，１の下部が壁面５に固定される。そして、腰壁パネル１，１の上部を、通常の施工通り見切材３により壁面５に固定する。
【００２３】
（腰壁構造による作用・効果）
このような本実施形態によれば、垂直ネジ３２を、下部材２２を貫通させて床面４に螺合させることにより、巾木２の底面が床面４に押しつけられるようにして、巾木２が床面４になじみ、不陸が解消される。そして、下部材２２上面に打込まれた垂直ネジ３２は、その上方から上部材２１が嵌め込まれることによって隠されることとなり、施工後の美観が損なわれることがない。
【００２４】
また、本実施形態において、下部材２２の上面から突出した凸部２２ｂと、この凸部に嵌合される凹部２１ｃにより、上下に嵌合させるため、より強固に上下の部材を連結固定することができる。また、垂直ネジ３２は、凸部２２ｂより前方位置（手前位置）の打込面２２ｃに打込まれるため、垂直ネジを打込む作業位置が、壁面５から離れた位置となり、ドリル等の作業性を向上させることができる。
【００２５】
また、本実施形態において下部材２２，２２は、着脱可能に嵌合されていることから、本腰壁構造の完成後に、床面４に不陸が生じた場合であっても、腰壁構造を一旦分解し上部材２１を取り外すことによって、不陸が発生した箇所に対応させて垂直ネジ３２を打込むことができる。これにより、事後的に発生した不陸及び隙間も解消することが可能となる。
【図面の簡単な説明】
【００２６】
【図１】実施形態に係る腰壁構造の概略構成を示す斜視図である。
【図２】（ａ）は、実施形態に係る巾木の側面図であり、（ｂ）は、その正面図である。
【図３】実施形態に係る腰壁パネルの下部周辺を示す斜視図である。
【図４】実施形態に係る腰壁構造の施工手順を示す説明図である。
【図５】従来の腰壁構造の概略構成を示す斜視図である。
【符号の説明】
【００２７】
１，１…腰壁パネル
２…巾木
３…見切材
４…床面
５…壁面
１１…表板
１２…後板
１２ａ…継合部
１２ｂ…凸部
１２ｃ…切欠部
２１…上部材
２１ａ…切欠部
２１ｂ…溝部
２１ｃ…凹部
２２…下部材
２２ａ…上面
２２ｂ…凸部
２２ｃ…打込面
２２ｄ…貫通孔
３１…水平ネジ
３２…垂直ネジ
４１…不陸
【図１】
2007100392.tif 000003
【図２】
2007100392.tif 000004
【図３】
2007100392.tif 000005
【図４】
2007100392.tif 000006
【図５】
2007100392.tif 000007